(57)【特許請求の範囲】
【請求項１】
表示手段と、
外部機器と接続する接続手段と、
前記接続手段に接続された外部機器の操作部材において特定の操作が行われたことを検出すると、前記外部機器を用いた機能を使用するか否かの設定が使用しない設定である場合には前記外部機器を用いた機能の使用有無を切り替えるための切り替え画面を前記表示手段に表示し、
前記特定の操作が行われたことを検出すると、前記外部機器を用いた機能を使用するか否かの設定が使用する設定である場合は、前記外部機器を用いた機能に関する調整値を設定するための設定画面を前記表示手段に表示するように制御する表示制御手段と
を有することを特徴とする撮像装置。
【請求項２】
表示手段と、
外部機器と接続する接続手段と、
前記外部機器の設定モードに関する情報を取得可能な取得手段と、
前記接続手段に接続された外部機器の操作部材において特定の操作が行われたことを検出すると、前記外部機器の設定モードがマニュアルモードである場合には第１の画面を前記表示手段に表示し、
前記特定の操作が行われたことを検出すると、前記外部機器の設定モードが前記マニュアルモードでない、オートモードの場合には、前記第１の画面よりも上位の階層の第２の画面を前記表示手段に表示するように制御する表示制御手段とを有することを特徴とする撮像装置。
【請求項３】
表示手段と、
外部機器と接続する接続手段と、
前記外部機器の設定モードに関する情報を取得可能な取得手段と、
前記接続手段に接続された外部機器の操作部材において特定の操作が行われたことを検出すると、前記外部機器の設定モードがマニュアルモードである場合には第１の画面を前記表示手段に表示し、
前記特定の操作が行われたことを検出すると、前記外部機器の設定モードが前記マニュアルモードでない、一定間隔で前記外部機器の所定の処理を実行するマルチモードの場合には、第３の画面を前記表示手段に表示するように制御する表示制御手段とを有することを特徴とする撮像装置。
【請求項４】
前記表示制御手段は、前記特定の操作が行われたことを検出すると、前記外部機器の設定モードが前記マニュアルモードでない、一定間隔で前記外部機器の所定の処理を実行するマルチモードの場合には、第３の画面を前記表示手段に表示するように制御することを特徴とする請求項２に記載の撮像装置。
【請求項５】
前記表示制御手段は、前記特定の操作が行われたことを検出すると、前記外部機器を用いた機能を使用するか否かの設定が使用しない設定である場合には前記外部機器を用いた機能の使用有無を切り替えるための切り替え画面を前記表示手段に表示し、
前記特定の操作が行われたことを検出すると、前記外部機器を用いた機能を使用するか否かの設定が使用する設定である場合は、前記外部機器を用いた機能に関する調整値を設定するための設定画面を前記表示手段に表示するように制御するように制御することを特徴とする請求項２乃至４のいずれか１項に記載の撮像装置。
【請求項６】
前記外部機器はストロボ発光装置であり、前記第１の画面は前記ストロボ発光装置の発光量を設定するための画面であることを特徴とする請求項２乃至５のいずれか１項に記載の撮像装置。
【請求項７】
前記外部機器はストロボ発光装置であり、前記第２の画面は、前記ストロボ発光装置の発光量を設定するための第１の項目と、前記ストロボ発光装置の発光回数を設定するための第２の項目とを含み、前記第１の項目の項目を選択したことに応じて前記発光量を設定するための画面が表示され、前記第２の項目の項目を選択したことに応じて前記発光回数を設定するための画面が表示されることを特徴とする請求項２または４に記載の撮像装置。
【請求項８】
前記外部機器はストロボ発光装置で、前記所定の処理はストロボの発光であり、前記第３の画面は、前記ストロボ発光装置の発光回数または周期を設定するための画面であることを特徴とする請求項３に記載の撮像装置。
【請求項９】
前記外部機器は、ストロボ発光装置であり、前記ストロボ発光装置のストロボ発光しない設定である場合にはストロボ発光をする設定と、ストロボ発光をしない設定とを切り替えるための画面を前記表示手段に表示し、
前記特定の操作が行われたことを検出すると、前記ストロボ発光装置のストロボ発光する設定である場合は、前記ストロボの発光に関する調整値を設定するための画面を前記表示手段に表示することを特徴とする請求項１または３に記載の撮像装置。
【請求項１０】
前記接続手段は、前記外部機器の操作部材に対して特定の操作が行われると、前記撮像装置がスリープ状態である場合には該スリープ状態から復帰させるための要求を受信し、前記撮像装置がスリープ状態でない場合には前記外部機器に関する設定を行うための設定画面を表示させるための要求を受信することを特徴とする請求項１乃至９のいずれか１項に記載の撮像装置。
【請求項１１】
表示手段と、外部機器と接続する接続手段を有する撮像装置の制御方法であって、
前記接続手段に接続された外部機器の操作部材において特定の操作が行われたことを検出すると、前記外部機器を用いた機能を使用するか否かの設定が使用しない設定である場合には前記外部機器を用いた機能の使用有無を切り替えるための切り替え画面を前記表示手段に表示し、
前記特定の操作が行われたことを検出すると、前記外部機器を用いた機能を使用するか否かの設定が使用する設定である場合は、前記外部機器を用いた機能に関する調整値を設定するための設定画面を前記表示手段に表示するように制御する表示制御ステップを有することを特徴とする撮像装置の制御方法。
【請求項１２】
表示手段と、外部機器と接続する接続手段を有する撮像装置の制御方法であって、
前記外部機器の設定モードに関する情報を取得可能な取得ステップと、
前記接続手段に接続された外部機器の操作部材において特定の操作が行われたことを検出すると、前記外部機器の設定モードがマニュアルモードである場合には第１の画面を前記表示手段に表示し、
前記特定の操作が行われたことを検出すると、前記外部機器の設定モードが前記マニュアルモードでない、オートモードの場合には、前記第１の画面よりも上位の階層の第２の画面を前記表示手段に表示するように制御する表示制御ステップとを有することを特徴とする撮像装置の制御方法。
【請求項１３】
表示手段と、外部機器と接続する接続手段を有する撮像装置の制御方法であって、
前記外部機器の設定モードに関する情報を取得可能な取得ステップと、
前記接続手段に接続された外部機器の操作部材において特定の操作が行われたことを検出すると、前記外部機器の設定モードがマニュアルモードである場合には第１の画面を前記表示手段に表示し、
前記特定の操作が行われたことを検出すると、前記外部機器の設定モードが前記マニュアルモードでない、一定間隔で前記外部機器の所定の処理を実行するマルチモードの場合には、第３の画面を前記表示手段に表示するように制御する表示制御ステップとを有することことを特徴とする撮像装置の制御方法。
【請求項１４】
コンピュータを、請求項１乃至１０のいずれか１項に記載された撮像装置の各手段として機能させるためのプログラム。
【請求項１５】
コンピュータを、請求項１乃至１０のいずれか１項に記載された撮像装置の各手段として機能させるためのプログラムを格納したコンピュータが読み取り可能な記憶媒体。
【請求項１６】
外部機器と撮像装置を含む撮像システムであって、
前記外部機器は、操作部材を有し
前記撮像装置は、
表示手段と、
前記外部機器と接続する接続手段と、
前記接続手段に接続された外部機器の前記操作部材において特定の操作が行われたことに応じて、前記外部機器を用いた機能を使用するか否かの設定が使用しない設定である場合には前記外部機器を用いた機能の使用有無を切り替えるための切り替え画面を前記表示手段に表示し、前記特定の操作が行われたことを検出すると、前記外部機器を用いた機能を使用するか否かの設定が使用する設定である場合は、前記外部機器を用いた機能に関する調整値を設定するための設定画面を前記表示手段に表示するように制御する表示制御手段と
を有することを特徴とする撮像システム。
【発明の詳細な説明】
【技術分野】
【０００１】
本発明は、撮像装置に接続するストロボ装置などの外部機器に関する設定操作を行う画面の表示制御技術に関するものである。
【背景技術】
【０００２】
撮像装置に接続して使用される外部ストロボ装置に関しては、発光モード（ＴＴＬモード、マニュアルモード、オートモード等）の設定や表示、ズームストロボにおける照射角の設定や表示等、種々の設定や表示を行うことができる。そのため、外部ストロボ自体に操作ボタンや表示器が備えられている。しかしながら、外部ストロボ自体の操作ボタンや表示器ではスイッチ数や表示器の大きさなどの制限により複雑な設定を行う上では使い勝手が悪くなるという問題がある。
【０００３】
特許文献１には、カメラと外部ストロボ間との通信手段を設けることで、ユーザがカメラ側の操作ボタンを用いて、カメラ側のより大きな表示器を見ながら外部ストロボに関する操作を行えるようにすることが提案されている。
【先行技術文献】
【特許文献】
【０００４】
【特許文献１】特開２０００−２５８８２４号公報
【発明の概要】
【発明が解決しようとする課題】
【０００５】
しかしながら、近年撮像装置の多機能化に伴い、撮像装置において設定可能な項目の数は増加している。このため、上述の特許文献１のように、接続された外部機器に関する設定を撮像装置側で行おうとした場合、撮像装置側の大量の項目群の中から、外部機器に関する設定項目を探しだして選択するといった操作負荷がある。
【０００６】
そこで本発明は、上記課題に鑑み、撮像装置に接続された外部機器の設定操作をより容易に行えるようにした撮像装置及びその制御方法、撮像システム及びその制御方法、プログラム、並びに記録媒体を提供することを目的とする。
【課題を解決するための手段】
【０００７】
上記課題を解決するために、本発明の撮像装置は、表示手段と、外部機器と接続する接続手段と、前記接続手段に接続された外部機器の操作部材において特定の操作が行われたことを検出すると、前記外部機器を用いた機能を使用するか否かの設定が使用しない設定である場合には前記外部機器を用いた機能の使用有無を切り替えるための切り替え画面を前記表示手段に表示し、
前記特定の操作が行われたことを検出すると、前記外部機器を用いた機能を使用するか否かの設定が使用する設定である場合は、前記外部機器を用いた機能に関する調整値を設定するための設定画面を前記表示手段に表示するように制御する表示制御手段とを有することを特徴とする。
【発明の効果】
【０００８】
本発明によれば、ユーザは撮像装置に接続された外部機器の設定操作をより容易に行うことができる。
【図面の簡単な説明】
【０００９】
【図１】本発明の実施例におけるカメラとストロボの機能的構成を示すブロック図
【図２】本発明の第１の実施例におけるストロボの制御フローチャート
【図３】本発明の第１の実施例におけるカメラの制御フローチャート
【図４】本発明の第２の実施例態におけるカメラの制御フローチャート
【図５】本発明の実施例におけるストロボとカメラ間の接点部
【図６】本発明の実施例におけるストロボとカメラ間の通信波形
【図７】本発明の実施例における通信コマンド表
【図８】本発明の実施例における各設定画面
【発明を実施するための形態】
【００１０】
以下に、本発明を実施するための形態について添付図面を参照して詳細に説明する。
【００１１】
図１は、本発明の実施形態による外部ストロボを備えるカメラシステムの一例を示すブロック図である。
【００１２】
図１に示す撮像システム（カメラシステム）は、本発明の外部機器の一例としてのストロボ発光装置（以下ストロボと呼ぶ）１００と撮像装置の一例としてのカメラ２００とを有している。外部ストロボ１００は、カメラ側のアクセサリシュー（不図示）などの接続可能な外部ストロボユニットである。ストロボ１００は表示部１０１を備えており、ストロボ１００に設定されている発光モード（ＴＴＬモード、マニュアルモード、オートモード等）、ズームストロボにおける照射角情報等の設定情報が表示され、確認することができる。
【００１３】
また操作部１０２は複数のボタン及びスイッチ等で構成されており、それぞれストロボ１００に設定されている各設定情報を変更するための操作ボタンやカメラ２００へ外部ストロボ設定画面の表示通信を行うためのトリガーボタンなどのボタンで構成されている。
【００１４】
さらにストロボ１００は発光回路１０３を備えており、この発光回路１０３はストロボ制御部１０４の制御下で充電を行い、発光指示を受けると発光部（不図示）を発光させる。さらに、発光回路１０３は充電が完了するとストロボ制御部１０４に充電完了信号を送る。
【００１５】
記憶部１０５には、ストロボ１００に設定されている設定情報やストロボ制御部１０４に用いられる動作プログラム等が記憶されている。そして、ストロボ制御部１０４は記憶部１０５に記憶された動作プログラム又は設定情報に応じて、カメラ２００との通信制御や発光制御を行う。
【００１６】
なお、データ通信入出力部１０６はカメラ２００とデータ通信を行うためのインターフェースである。カメラ起動信号入出力部１０７ではストロボ制御部１０４より送られるカメラ起動信号をカメラ２００へ送信するインターフェースである。さらに検出回路１０８ではカメラ起動信号入出力部１０７の電圧値をディジタル変換する。この変換結果を利用してストロボ制御部１０４はカメラ２００がスリープモード（スリープ状態）かを判定する。ここでスリープモード（スリープ状態）とは電力消費を低減するため、カメラを構成する不図示のモーターやシャッター、表示パネル等の各デバイスへ電力供給を停止した状態を表す。
【００１７】
カメラ２００はカメラ制御部２０４を有しており、カメラ制御部２０４はカメラ２００全体の制御を司る。記憶部２０３には、カメラ制御部２０４がカメラを制御する際に用いられる調整データや動作プログラム、撮像された画像データなどが記憶される。
【００１８】
表示部２０５はカメラ制御部２０４の制御下で、カメラの動作状態、カメラまたストロボに関する各設定画面、警告等を表示する。
【００１９】
またカメラ操作部２０６は複数のボタン及びスイッチ等で構成されており、カメラ２００に設定されている各設定情報を表示・変更するための操作ボタン、撮像するためのレリーズボタン等で構成される。また、カメラ操作部２０６は、表示部２０５に各種表示を行わせるように表示制御する。
【００２０】
なお、カメラ２００に備えられたデータ通信入出力部２０１はストロボ１００とデータ通信を行うためのインターフェースである。またカメラ起動信号入出力部２０２ではストロボ１００より送られるカメラ起動信号を受信するインターフェースであり、加えてカメラ２００がスリープモードでない場合はカメラ制御部２０４より一定値以上の電圧をカメラ起動信号入出力部２０２にかける。
【００２１】
またカメラ２００は測光回路２０７を備えており、この測光回路２０７には多分割測光センサ（不図示）が接続されている。カメラ制御部２０４の指示に応じ、測光回路２０７は多分割測光センサのエリア毎にその測光値を測定してカメラ制御部２０４に送る。カメラ制御部２０４は測光値に応じて露出調節のための絞り値を求めるとともに、シャッタースピードを求める。
【００２２】
モーター回路２０８は、カメラ制御部２０４の指示に応じモーター（不図示）を駆動制御してミラー（不図示）のアップ・ダウンの制御を行うとともに、シャッター（不図示）のチャージを行う。
【００２３】
また、シャッター回路２０９にて、カメラ制御部２０４の指示に応じでシャッター先幕およびシャッター後幕（ともに不図示）を制御して、幕走行させて露出動作を実行する。
【００２４】
レンズ回路２１０は、カメラ制御部２０４の指示に応じ接続された不図示のレンズと通信を行い、レンズ駆動モーターおよびレンズ絞りモーター（ともに不図示）の駆動制御やレンズの焦点調節および絞り制御を行う。
【００２５】
焦点検出回路２１１はカメラ制御部２０４の指示に応じ複数の焦点検出エリアでのデフォーカス量を検出する検出制御を行い、検出したデフォーカス量をカメラ制御部２０４へ送る。
【００２６】
図５はストロボ１００とカメラ２００のデータ通信入出力部（１０６／２０１）における接点ユニットを表す図である。左側がストロボ１００の通信端子、右側がカメラ２００の通信端子である。
【００２７】
Ｓｏｕｔはストロボ１００のクロック同期通信によるデータ出力端子，Ｓｉｎがクロック同期通信によるデータ入力端子、Ｓｃｌｋがクロック同期出力端子である。
【００２８】
一方、Ｃｏｕｔはカメラ２００のクロック同期通信によるデータ出力端子，Ｃｉｎがクロック同期通信によるデータ入力端子、Ｃｃｌｋがクロック同期出力端子である。
【００２９】
次に図６はクロック同期通信におけるＣｏｕｔ、Ｃｉｎ、Ｃｃｌｋの通信端子の信号を表す波形図である。
【００３０】
ＣｉｎとＣｃｌｋは、同期クロック通信であるためＣｃｌｋクロックの立ち上がり信号に同期してカメラ２００はＣｉｎデータを受信している。また、ＣｏｕｔとＣｃｌｋも、同期クロック通信でありＣｃｌｋクロックの立ち上がり信号に同期してカメラ２００はＣｏｕｔデータをストロボ１００に送信している。
【００３１】
Ｃｃｌｋ端子で一定時間Ｌｏ出力となっている部分は、カメラ２００がＣｃｌｋをＬｏに引き下げて、カメラ本体側の処理を待っている（Ｂｕｓｙ）状態を表す。カメラ２００は通信処理が終了するとＣｃｌｋをＨｉに戻す処理を行なっている。
【００３２】
ちなみに図６ではカメラ２００はストロボ１００から３２ＨＥＸというデータを受信している。
【００３３】
図７（１）はカメラ２００からストロボ１００に送信する通信コマンド表である。この表ではカメラ２００が出力するデータ量はコマンドによって予め決められている。
【００３４】
例えば、カメラ２００からコマンド１０Ｈがストロボ１００に送信されると、ストロボ１００は「発光モード情報要求」通信と認識し２バイト目の送信データに記憶部１０５に設定されている発光モード情報を設定し送信する。
【００３５】
他のコマンドの例として、コマンド１２Ｈはストロボ１００の発光モードを変更するための発光モード設定通信であり、このコマンド通信の２バイト目にカメラ２００は設定したい発光モードを設定し送信することでストロボ１００の発光モードを変更できる。
【００３６】
カメラ２００が送信するコマンドにはその他多くの種類があるが詳しい説明は省略する。
【００３７】
また、図７（２）はストロボ１００からカメラ２００に送信する通信コマンド表である。
【００３８】
例えば、ストロボ１００からコマンド１０Ｈがカメラ２００に送信されると、カメラ２００は「ストロボ設定画面表要求」通信と認識し、対応する画面を表示する。
【００３９】
他のコマンドの例として、コマンド１２Ｈは「レリーズ要求」通信であり、このコマンドをカメラ２００が受信するとカメラ２００は撮像動作を行う。
【００４０】
ストロボ１００が送信するコマンドにはその他多くの種類があるが詳しい説明は省略する。
【００４１】
（実施例１）
以下、図１〜図３を参照して、本発明の第１の実施例におけるストロボ設定動作について説明する。
【００４２】
図２は、ストロボ側で行われるストロボに関する設定動作の処理フローチャートである。この処理は、記憶部１０５に格納されたプログラムをストロボ制御部１０４が実行することで実現する。
【００４３】
Ｓ２０１ではユーザにより操作部１０２に含まれる外部ストロボ設定ボタンが押されるのを待つ。外部ストロボ設定ボタンがおされる（すなわちストロボ側の操作部材に対して特定の操作が行われると）とＳ２０２へ遷移する。
【００４４】
Ｓ２０２ではカメラがスリープモードかを判定する。この判定では、カメラ起動信号入出力部１０７にかかる電圧を検出回路１０８にてディジタル値に変換し、ある一定の値以下の場合にカメラがスリープモードであると判定する。カメラがスリープモードでない場合はＳ２０４へスリープモードの場合はＳ２０３のカメラ起動信号出力処理に遷移する。
【００４５】
Ｓ２０３ではストロボ制御部１０４によりカメラ起動信号がカメラ起動信号入出力部１０７及び２０２を経由しカメラ制御部２０４に出力される。この信号をカメラ制御部２０４が受信するとカメラ制御部２０４はカメラを構成するモーターや表示パネル等の各デバイスに対し電力の供給を行う。すなわち、カメラ２００はスリープ状態から復帰する。その後、ストロボ制御部１０４は、Ｓ２０４においてもう一度カメラ２００がスリープモードか判定し、スリープモードでない場合はＳ２０５へ遷移し、スリープモードの場合は処理を終了する。
【００４６】
Ｓ２０５では、ストロボ制御部１０４は、データ通信入出力部を利用して「ストロボ設定画面表示要求」通信が可能か否かを、通信でカメラ２００に問い合わせる。この結果、「ストロボ設定画面表示要求」通信が可能な場合はＳ２０６へ遷移し、不可能な場合は処理を終了する。
【００４７】
Ｓ２０６ではカメラ２００にストロボ設定画面を表示部２０５に表示させるための「ストロボ設定画面表示要求」通信を行い（ストロボ設定画面表示要求をストロボ側からカメラ側に送信して）終了する。
【００４８】
図３に、カメラ側で行われるストロボに関する設定動作の処理フローチャートを示す。この処理は、記憶部２０３に記憶されたプログラムを、カメラ制御部２０４が実行することで実現する。
【００４９】
まず、Ｓ３０１ではカメラ制御部２０４はストロボ１００からの通信を待つ。ストロボ１００からの通信があった場合はＳ３０２へ遷移する。
【００５０】
Ｓ３０２ではストロボ１００より送られた通信の内容を確認する。送られた通信が「ストロボ設定画面表示要求」通信であった場合はＳ３０４へ遷移し、他の通信であった場合はＳ３０３へ遷移し、送られてきた通信内容に応じた処理を行い終了する。
【００５１】
Ｓ３０４ではカメラ２００の記憶部２０３に記憶されているストロボ発光設定を確認する。この設定値はユーザにより設定する設定項目の一つで、「ストロボ発光する」に設定されていると、カメラ制御部２０４は撮像時にデータ通信入出力部２０１を利用した通信によりストロボ１００に発光命令を通知しストロボ発光させる。すなわち、ストロボ発光設定値は外部機器（ストロボ発光装置）を用いた機能（ストロボ発光）を使用するか否かの設定である。このストロボ発光設定値が「ストロボ発光する」（外部機器の機能を使用する設定）に設定されていた場合はＳ３０７へ遷移し、「ストロボ発光しない」（外部機器の機能を使用しない設定）に設定されている場合はＳ３０５へ遷移する。
【００５２】
Ｓ３０５ではカメラ制御部２０４は表示部２０５に対し、「ストロボ発光設定変更画面」を表示させる。ここで、「ストロボ発光設定変更画面」とはストロボ発光設定の切り換え、つまり図８（１）のような「ストロボ発光する」及び「ストロボ発光しない」の切り替える設定画面のことである。すなわち、外部機器を用いた機能の使用有無を切り替えるための設定画面である。ユーザはこの画面を見ながら操作部２０６に含まれる切り換えスイッチを操作することで「ストロボ発光する」または「ストロボ発光しない」に切り替えることができる。Ｓ３０６では、カメラ制御部２０４は、カメラ側の操作部２０６の操作によるストロボ発光のオン（する）／オフ（しない）の設定変更操作を受け付け、操作に応じた設定を行う。
【００５３】
Ｓ３０７ではカメラ制御部２０４は表示部２０５に対し、「外部ストロボ設定画面」を表示させる。ここで「外部ストロボ設定画面」とは図８（２）のような発光モード、調光補正情報（オートモード時）、発光量情報（マニュアルモード時）、などの外部ストロボ設定に関する各種設定値を調整するための項目群が表示された画面のことである。ユーザはこの項目群から設定変更（設定値調整）したい項目を選択し、選択した項目の変更画面（調整値を設定する画面）を表示させる。ここで変更画面の例として図８（３）、図８（４）を示す。図８（３）は図８（２）における外部ストロボ設定画面で「発光モード」を選択した際に表示される設定変更画面（調整画面）であり、図８（４）は「発光量」を選択した際の設定変更画面（調整画面）である。Ｓ３０８では、Ｓ３０７で表示した外部ストロボ設定画面で設定変更可能な項目について、ユーザー操作を受け付ける。より詳しくは、カメラ制御部２０４は、カメラ側の操作部２０６の操作に応じて、「外部ストロボ設定画面」に表示された項目群から設定変更したい項目の選択を受け付ける。そして、カメラ側の操作部２０６からの調整操作に応じて、選択された項目についての設定値を調整して設定する。
【００５４】
このように、本発明の第１の実施形態では、ストロボ１００に備わっている操作部１０２を利用することでカメラ２００の表示部２０５に「外部ストロボの設定画面」を表示することができる。このため、ユーザは多数ある設定項目群からストロボ設定項目を選択する負荷操作の必要がなくなる。また、カメラの設定状態（ストロボ発光設定状態）に応じて、表示する画面を第一の設定画面（ストロボ発光設定変更画面）と第二の設定画面（外部ストロボ設定画面）とに切り替わるため、より使い勝手の良い外部ストロボ設定操作を実現できる。
【００５５】
（実施例２）
図４に、実施例２におけるカメラ側で行われるストロボに関する設定動作の処理フローチャートを示す。この処理は、カメラ側の記憶部２０３に記憶されたプログラムを、カメラ制御部２０４が実行することにより実現する。なお、ストロボ側のハードウェア構成及び処理フローチャート、カメラ側のハードウェア構成については、実施例１と同様であるものとする。
【００５６】
Ｓ４０１〜Ｓ４０６の処理は、前述した図３のＳ３０１〜Ｓ３０６の処理と同様であり、説明を省略する。
【００５７】
Ｓ４０７では、カメラ制御部２０４はデータ通信入出力部２０１よりストロボ１００に「発光モードの取得」通信を行う。この通信を行うことでカメラ制御部２０４はストロボ１００に設定されている発光モードを取得することができる。
【００５８】
Ｓ４０８では、カメラ制御部２０４は、Ｓ４０７で取得した発光モードがオートモードだったか否かを判定する。オートモードの場合はＳ４１５に進み、そうでない場合はＳ４０８に進む。
【００５９】
Ｓ４０９では、カメラ制御部２０４は、Ｓ４０７で取得した発光モードがマニュアルモードか否かを判定する。マニュアルモードだった場合、Ｓ４１０に進み、そうでない場合はＳ４１２に進む。
【００６０】
Ｓ４１０では、カメラ制御部２０４は、表示部２０５に対し「発光量設定変更画面」を表示させる。ここで、「発光量設定変更画面」とは図８（４）のようなストロボ１００が発光する際の発光量の設定を変更する画面を表す。Ｓ４１１では、カメラ制御部２０４は、カメラ側の操作部２０６に対する操作に応じてストロボの発光量を調節して設定する。
【００６１】
Ｓ４１２では、カメラ制御部２０４は、Ｓ４０７で取得した発光モードがマルチモードだったか否かを判定する。マルチモードだった場合はＳ４１３へ進み、そうでない場合はＳ４１５へ進む。マルチモードとは露光中ストロボの発光を一定の間隔で連続発光させる発光モードのことである。
【００６２】
Ｓ４１３では、カメラ制御部２０４は、表示部２０５に対し、マルチ発光で連続発光させる回数を設定するための図８（５）のような「発光回数変更画面」を表示させる。Ｓ４１４では、カメラ制御部２０４は、カメラ側の操作部２０６に対する操作に応じて、マルチ発光での連続発光回数を設定する。
【００６３】
Ｓ４１５、Ｓ４１６の処理は、前述した図３のＳ３０７，Ｓ３０８の処理と同様なので説明を省略する。
【００６４】
このように、取得した発光モード（ストロボ側に現在設定されている内容）に応じて異なる調整値を設定する画面を表示し、変更頻度の高いと思われる項目（調整値）の変更画面（調整画面）を表示することで、使い勝手の良い外部ストロボ設定操作を実現できる。
【００６５】
以上、本発明の好ましい実施形態について説明したが、本発明はこれらの実施形態に限定されず、その要旨の範囲内で種々の変形及び変更が可能である。
【００６６】
例えば、実施例２では、取得した発光モードがマルチモードの場合で「発光回数変更画面」が表示されたが、これが発光周期を設定するための「発行周期設定変更画面」などの他の画面であってもよい。また今回は、発光モードに応じて表示する画面を切り替えていたが、複数のストロボと連動して多灯発光させるワイヤレスモードの設定情報などの他のストロボ設定情報を組み合わせて表示する設定画面を切り替えてもよい。これらはいずれも本要旨の範囲内である。
【００６７】
また、上述の各実施例では、外部機器としてストロボ発光装置を例に挙げたが、これに限るものではなく、操作部材を有し、撮像装置に接続して機能を利用可能な外部機器であれば本発明を適用可能である。例えば、撮像装置に接続されたＧＰＳロガー（ＧＰＳ：Ｇｌｏｂａｌ  Ｐｏｓｉｔｉｏｎｉｎｇ  Ｓｙｓｔｅｍ）側の操作部材が操作された場合にも、本発明を適用可能である。例えば、ＧＰＳロガー側のボタンが押下されたことに応じてカメラ側の表示部２０５に、ＧＰＳログに関する設定を行う画面を表示させる。その際、実施例１で説明したように、ＧＰＳロガーの使用のオン／オフ設定に応じて、オフであればオン／オフを切り替える画面を表示し、オンであればＧＰＳロガーに関する詳細設定を行う画面（ログをとる間隔の調整などを行う画面）を表示する。また、実施例２のように、ログを取るモードに応じて異なる調整値に関する設定画面を表示させることも可能である。本願を適用可能な外部機器としては他にも、遠隔から撮影指示を行うリモコン装置（撮像制御装置）、外部レコーダー、外付け電子ビューファインダー、外部モニターなどがあることは言うまでもない。
【００６８】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
0006362490.tif 000002
【図２】
0006362490.tif 000003
【図３】
0006362490.tif 000004
【図４】
0006362490.tif 000005
【図５】
0006362490.tif 000006
【図６】
0006362490.tif 000007
【図７】
0006362490.tif 000008
【図８】
0006362490.tif 000009